(57)【特許請求の範囲】
【請求項１】
上部にスリッパ投入口を有し、下部にスリッパ取出口を有する本体ケースと、
前記本体ケース内に設けられ、前記スリッパ投入口から投入されたスリッパを横向き状態で前記スリッパ投入口から前記スリッパ取出口に向けて案内するガイド機構と、
前記本体ケース内に設けられ、前記本体ケース内に投入された前記スリッパを消毒殺菌する紫外線ランプと、
前記スリッパの足入れ部の形状に倣った傾斜形状に形成され、前記スリッパ投入口の上方を覆うフードと、
を有するスリッパ消毒供給装置。
【請求項２】
前記スリッパ投入口には、前記スリッパが載置されたときにそのスリッパの荷重により回転して載置された前記スリッパを前記ガイド機構に向けて落下させるスリッパ載置板が設けられている請求項１記載のスリッパ消毒供給装置。
【請求項３】
前記ガイド機構は、前記スリッパを自重により下方へ移動させる構造である請求項１又は２記載のスリッパ消毒供給装置。
【請求項４】
前記本体ケースの前面に、透明な正面カバーが開閉自在に設けられている請求項１、２又は３記載のスリッパ消毒供給装置。
【請求項５】
前記紫外線ランプは長尺形状であり、前記スリッパの足入れ部の内側を照射する位置に上下方向に向けて配置されている請求項１、２、３又は４記載のスリッパ消毒供給装置。
【請求項６】
前記スリッパ取出口には、１組の前記スリッパを前記本体ケース外へ送り出す送り出し機構が設けられ、この送り出し機構を作動させる取出スイッチが前記本体ケースの外周部に設けられている請求項１、２、３、４又は５記載のスリッパ消毒供給装置。
【発明の詳細な説明】
【０００１】
【発明の属する技術分野】
本発明は、スリッパに紫外線を照射して消毒殺菌し、消毒殺菌済みのスリッパを使用者に対して供給するスリッパ消毒供給装置に関する。
【０００２】
【従来の技術】
小規模病院や診療所では、院内の環境維持のために土足禁止にし、スリッパを使用している例が多い。しかし、そこで使用されるスリッパは、来院者が共用で使用することや、洗浄が行われないため、微生物レベルでは相当に汚染されている。また、昨今の清潔志向が高まる傾向の中で、他人が使用したスリッパをそのまま使用することに抵抗を感じる人が増えている。
【０００３】
上記のような状況の中で、スリッパ消毒殺菌器なるものは既に存在しているが、そのほとんどは扉付きの下駄箱に紫外線ランプを取り付けた構造である。
【０００４】
【発明が解決しようとする課題】
上記の下駄箱タイプのスリッパ消毒殺菌器では、全てのスリッパを均等に消毒殺菌することができず、紫外線ランプから離れた箇所に入れられたスリッパの消毒殺菌は不十分となる。
【０００５】
また、上記の下駄箱タイプのスリッパ消毒殺菌器では、出し入れが容易な箇所に収納されているスリッパばかりが繰り返し使用され、繰り返し使用されるスリッパは十分な消毒殺菌時間を確保できない。
【０００６】
さらに、来院者がスリッパを出し入れするときに、紫外線を浴びてしまう。
【０００７】
そこで本発明は、全てのスリッパを均等に、しかも、確実に消毒殺菌することができるスリッパ消毒供給装置を提供することを目的とする。
【０００８】
また本発明は、小型化を図って狭い設置スペース内に設置することができるスリッパ消毒殺菌装置を提供することを目的とする。
【０００９】
【課題を解決するための手段】
請求項１記載の発明のスリッパ消毒供給装置は、上部にスリッパ投入口を有し、下部にスリッパ取出口を有する本体ケースと、前記本体ケース内に設けられ、前記スリッパ投入口から投入されたスリッパを横向き状態で前記スリッパ投入口から前記スリッパ取出口に向けて案内するガイド機構と、前記本体ケース内に設けられ、前記本体ケース内に投入された前記スリッパを消毒殺菌する紫外線ランプと、を有する。また、前記スリッパ投入口の上方を覆うフードが設けられ、このフードは前記スリッパの足入れ部の形状に倣った傾斜形状に形成されている。
【００１０】
ここで、「スリッパが横向き」とは、スリッパの爪先側と踵側とを結ぶ直線が水平方向を向き、かつ、スリッパの底面部が垂直面内に位置する状態を意味する。
【００１１】
従って、ガイド機構により案内されて本体ケース内を移動するスリッパは、横向きに対向させた状態で移動するため、本体ケースの横幅寸法及び高さ寸法を小さくすることができ、小型化を図ることができる。また、このような向きで移動するスリッパに対して紫外線を照射することにより、全てのスリッパを均等に、かつ、確実に消毒殺菌することができる。さらに、ガイド機構により案内されて移動する各スリッパの足入れ部に他のスリッパの爪先部分が入り込まないため、スリッパの詰まりが発生しにくくなるとともに、最も消毒殺菌が必要であるスリッパの足入れ部の内側の消毒殺菌をより一層確実に行うことができる。また、フードの形状によりスリッパを返却する際の向きを指示することができ、スリッパを逆向きに返却することが原因となる本体ケース内でのスリッパの詰まりが防止される。また、このフードを設けることにより、本体ケース内の覗き込みを阻止でき、スリッパ載置板の回動時などに本体ケース内から漏れ出す紫外線を直視することが防止される。
【００１２】
請求項２記載の発明は、請求項１記載のスリッパ消毒供給装置において、前記スリッパ投入口には、前記スリッパが載置されたときにそのスリッパの荷重により回転して載置された前記スリッパを前記ガイド機構に向けて落下させるスリッパ載置板が設けられている。
【００１３】
従って、返却するスリッパをスリッパ載置板の上に載せると、スリッパ載置板が回転して載置されたスリッパをガイド機構に向けて落下する。このため、使用したスリッパを返却するときの操作が簡単になる。
【００１６】
請求項３記載の発明は、請求項１又は２記載のスリッパ消毒供給装置において、前記ガイド機構は、前記スリッパを自重により落下させる構造である。
【００１７】
従って、本体ケース内においてスリッパ投入口から投入されたスリッパをスリッパ取出口に向けて移動させるための駆動機構が不要となり、構造が簡単になる。
【００１８】
請求項４記載の発明は、請求項１、２又は３記載のスリッパ消毒供給装置において、前記本体ケースの前面に、透明な正面カバーが開閉自在に設けられている。
【００１９】
従って、本体ケース内でスリッパの詰まりなどの異常が発生した場合、正面カバーを開ける前に異常原因を確認することができ、その異常に対して迅速に対応することができる。そして、この正面カバーを開くことにより、異常箇所の修理や本体ケース内の清掃を容易に行える。
【００２０】
請求項５記載の発明は、請求項１、２、３又は４記載のスリッパ消毒供給装置において、前記紫外線ランプは長尺形状であり、前記スリッパの足入れ部の内側を照射する位置に上下方向に向けて配置されている。
【００２１】
従って、特に消毒殺菌を必要とするスリッパの足入れ部の内側に紫外線を照射することができ、かつ、紫外線ランプの数を増やすことなくスリッパに対する紫外線の照射時間を長くして消毒殺菌効果を高めることができる。
【００２２】
請求項６記載の発明は、請求項１、２、３、４又は５記載のスリッパ消毒供給装置において、前記スリッパ取出口には、１組の前記スリッパを前記本体ケース外へ送り出す送り出し機構が設けられ、この送り出し機構を作動させる取出スイッチが前記本体ケースの外周部に設けられている。
【００２３】
従って、取出スイッチを操作すると送り出し機構が作動し、消毒殺菌済みの１組のスリッパがスリッパ取出口から本体ケース外へ送り出される。このため、スリッパを使用する場合におけるスリッパの取出し操作性が向上する。
【００２４】
【発明の実施の形態】
本発明の第一の実施の形態を図１ないし図４に基づいて説明する。図１は、全体構造の外観を示す斜視図である。図２は、内部構造を示す縦断正面図である。図３は、内部構造を示す縦断側面図である。図４は、内部構造を示す水平断面図である。
【００２５】
スリッパ消毒供給装置は縦長直方体形状の本体ケース１を有し、本体ケース１の上部にスリッパ投入口２が形成され、本体ケース１の下部にスリッパ取出口３が形成されている。本体ケース１内には、スリッパ投入口２から投入されたスリッパ４をスリッパ取出口３へ向けて案内するガイド機構５が２組設けられている。これらのガイド機構５は、上下方向に延出した３本のガイドレール５ａ，５ｂ，５ｃにより形成されている。さらに、本体ケース１内には、この本体ケース１内に収納されたスリッパ４を消毒殺菌するための紫外線を照射する紫外線ランプ６ａ，６ｂが設けられている。
【００２６】
前記スリッパ投入口２には、通常時にはスリッパ投入口２を閉止する水平位置へ回動し、スリッパ４が載置されたときにそのスリッパ４の荷重によりゆっくり回転し、載置されたスリッパ４をガイド機構５によるスリッパ保持位置へ向けて落下させるロータリーダンパー方式のスリッパ載置板７が設けられている。スリッパ載置板７は平行に一対設けられており、各スリッパ載置板７にそれぞれ片方のスリッパ４を載置する構造となっている。
【００２７】
本体ケース１の上面部には、スリッパ投入口２の上方を覆うフード８が固定されている。このフード８は、スリッパ４の足入れ部４ａの形状に倣った形状に形成されており、本体ケース１の正面側から見て、手前側が大きく開放されて先端側が狭く形成されている。また、このフード８は紫外線を遮光する材料で形成されている。
【００２８】
前記ガイド機構５のガイドレール５ａ〜５ｃは、図４に示すようにスリッパ４を３点で保持するように配置され、ガイド機構５で保持されるスリッパ４は、スリッパ４の爪先側と踵側とを結ぶ直線が水平方向を向き、かつ、スリッパ４の底面部４ｂが垂直面内に位置する、いわゆる、横向きに保持されている。さらに、ガイド機構５が２組設けられていることにより、一組のスリッパ４が足入れ部４ａを向かい合わせた背中合わせ状態に対向されている。また、ガイド機構５で保持されるスリッパ４は、自重により下方へ落下するようになっている。ガイド機構５の下端側であってスリッパ取出口３に対向する位置には、最下位のスリッパ４の底面部４ｂに当接してこのスリッパ４を約４５°に傾斜させて保持する保持板９が設けられている。
【００２９】
本体ケース１内には長尺形状の紫外線ランプ６ａ，６ｂが設けられている。一方の紫外線ランプ６ａは、上下方向に向けて配置され、かつ、スリッパ４の足入れ部４ａの内側に向けて紫外線を照射する位置に配置されている。また、この紫外線ランプ６ａには、この紫外線ランプ６ａから照射された紫外線が本体ケース１の正面側へ向けて照射されることを防止する反射カバー１０が取り付けられている。他方の紫外線ランプ６ｂは本体ケース１内の下部側において水平方向に向けて配置され、かつ、スリッパ４の底面部４ｂを照射する位置に配置されている。
【００３０】
本体ケース１の正面側には、透明な部材で形成された正面カバー１１が開閉自在に取り付けられている。
【００３１】
スリッパ取出口３には、揺動自在に吊り下げられたカバー３ａが設けられ、このカバー３ａの奥側に、底面部４ｂを保持板９に当接させている最下位の１組のスリッパ４を本体ケース１外へ送り出す送り出し機構１２が設けられている。この送り出し機構１２は、正逆回転自在なモータ１３と、モータ１３により駆動される駆動プーリ１４及び従動プーリ１５，１６と、これらのプーリ１４〜１６間に巻回されたワイヤ１７と、ワイヤ１７に固定された押出し金具１８とにより構成されている。本体ケース１の正面側上部には、モータ１３を駆動させることにより送り出し機構１２を作動させる取出スイッチ１９が設けられている。この取出スイッチ１９の横には、本体ケース１内がスリッパ４で満杯になり、又は、スリッパ４の詰まりなどの異常発生によりスリッパ４の返却が不能であることを知らせる返却不能表示ランプ２０が設けられている。
【００３２】
このような構成においては、本体ケース１内には多数のスリッパ４が収納されており、それらのスリッパ４に対して紫外線ランプ６ａ，６ｂから紫外線が照射され、スリッパ４の消毒殺菌が行われる。本体ケース１内に収納されたスリッパ４は、図２ないし図４に示すように、足入れ部４ａの内側を紫外線ランプ６ａからの紫外線で照射され、底面部４ｂを紫外線ランプ６ｂからの紫外線で照射される。さらに、最も消毒殺菌を必要とする足入れ部４ａの内側についてはスリッパ４が上方から下方へ移動する間の長時間に渡って紫外線が照射され、しかも、この足入れ部４ａに他のスリッパ４の爪先部分が入り込まないために確実に消毒殺菌を行える。
【００３３】
また、ガイド機構５により案内されて本体ケース１内を移動するスリッパ４は、横向きで背中合わせに対向した状態で移動するため、本体ケース１の横幅寸法及び高さ寸法を小さくし、スリッパ消毒供給装置の小型化を図ることができる。
【００３４】
使用したスリッパ４を返却する場合には、スリッパ４をスリッパ載置板７の上へ載置する。このとき、スリッパ４の爪先を奥側へ向ける。フード８の形状がスリッパ４の足入れ部４ａの形状に倣った形状となっており、返却時におけるスリッパ４の向きを暗に指示しているため、スリッパ４を逆向き（爪先側を手前にした向き）に返却することを防止できる。スリッパ４の逆向き返却を確実に防止するためには、フード８に絵図、文字などによりスリッパ４の返却向きを表示する。
【００３５】
スリッパ４が載置板７の上に載置されると、載置板７はスリッパ４の荷重により図２において二点鎖線で示す位置まで回動し、載置されたスリッパ４はガイド機構５に向けて落下する。
【００３６】
載置板７が回動するとき、紫外線ランプ６ａ，６ｂから照射されている紫外線の一部がスリッパ投入口２から上方へ漏れ出すが、フード８を設けたことによりスリッパ投入口２からの本体ケース１内の覗き込みが阻止されている。このため、載置板７の回動時に、スリッパ４を返却した者又は本体ケース１の近くにいた者が、スリッパ投入口２から漏れ出した紫外線を直視するということが防止される。
【００３７】
本体ケース１の正面には透明な正面カバー１１が開閉自在に設けられているので、本体ケース１内でスリッパ４の詰まりなどの異常が発生した場合、正面カバー１１を開ける前に異常原因を確認することができ、その異常に対して迅速に対応することができる。そして、この正面カバー１１を開くことにより、異常箇所の修理や本体ケース１内の清掃を容易に行える。なお、本体ケース１における正面カバー１１の縁部に対向する位置には紫外線ランプ６ａ，６ｂをオン・オフさせるスイッチ（図示せず）が設けられており、正面カバー１０を開放したときにこのスイッチがオフになって紫外線ランプ６ａ，６ｂが消灯され、作業者が紫外線を浴びることが防止される。
【００３８】
本体ケース１内からスリッパ４を取出す場合には、取出スイッチ１９を押す。すると、モータ１３が駆動され、ワイヤ１７が回転し、このワイヤ１７に固定されている押出し金具１８が図３において実線で示す位置から二点鎖線で示す位置へ移動し、最下位に位置している１組のスリッパ４に当接してこのスリッパ４を本体ケース１外へ送り出す。押出し金具１８が二点鎖線で示した位置まで移動すると、モータ１３が逆向きに回転し、次のスリッパ４がその底面部４ｂを保持板９に当接する位置まで移動する前に実線で示した位置へ復帰する。
【００３９】
なお、本実施の形態においては、ガイド機構５により保持される１組のスリッパ４を、足入れ部４ａを向かい合わせて保持した場合を例に挙げて説明したが、底面部４ｂを向かい合わせるように保持してもよい。
【００４０】
ついで、本発明の第二の実施の形態を図５に基づいて説明する。なお、図１及び図４において説明した部分と同じ部分は同じ符号で示し、説明も省略する。本実施の形態は、送り出し機構１２に代えて、異なる構造の送り出し機構２１を設けたものである。他の部分は第一の実施の形態と同じである。
【００４１】
この送り出し機構２１は、一定方向へ回転するモータ２２と、モータ２２により駆動される駆動プーリ２３及び従動プーリ２４と、これらのプーリ２３，２４の間に巻回されたベルト２５と、ベルト２５の外周面に固定された2個の突起２６とにより構成されている。
【００４２】
このような構成において、本体ケース１内からスリッパ４を取出す場合には、取出スイッチ１９を押す。すると、モータ２２が駆動され、ベルト２５が矢印Ａ方向へ半周分回転する。これにより、一方の突起２６が最下位に位置する１組のスリッパ４に当接してこのスリッパ４を本体ケース１外へ送り出す。
【００４３】
【発明の効果】
請求項１記載の発明のスリッパ消毒供給装置によれば、ガイド機構により案内されて本体ケース内を移動するスリッパは、横向き状態で移動するため、本体ケースの横幅寸法及び高さ寸法を小さくすることができ、小型化を図ることができる。また、このような向きで移動するスリッパに対して紫外線を照射することにより、全てのスリッパを均等に、かつ、確実に消毒殺菌することができる。さらに、ガイド機構により案内されて移動する各スリッパの足入れ部に他のスリッパの爪先部分が入り込まないため、スリッパの詰まりが発生しにくくなるとともに、最も消毒殺菌が必要であるスリッパの足入れ部の内側の消毒殺菌をより一層確実に行うことができる。また、スリッパ投入口の上方を覆うフードが設けられ、このフードはスリッパの足入れ部の形状に倣った傾斜形状に形成されているので、このフードの形状によりスリッパを返却する際の向きを指示することができ、スリッパを逆向きに返却することが原因となる本体ケース内でのスリッパの詰まりを防止することができる。また、このフードを設けることにより、本体ケース内の覗き込みを阻止することができ、スリッパ載置板の回動時などに本体ケース内から漏れ出す紫外線を直視することを防止して安全性を向上させることができる。
【００４４】
請求項２記載の発明によれば、請求項１記載のスリッパ消毒供給装置において、スリッパ投入口には、スリッパが載置されたときにそのスリッパの荷重により回転して載置されたスリッパをガイド機構に向けて落下させるスリッパ載置板が設けられているので、返却するスリッパをスリッパ載置板の上に載せると、スリッパ載置板が回転して載置されたスリッパをガイド機構に向けて落下させることができ、使用したスリッパを返却するときの操作を簡単にすることができる。
【００４６】
請求項３記載の発明によれば、請求項１又は２記載のスリッパ消毒供給装置において、ガイド機構は、スリッパを自重により落下させる構造であるので、本体ケース内においてスリッパ投入口から投入されたスリッパをスリッパ取出口に向けて移動させるための駆動機構が不要となり、簡単な構造とすることができる。
【００４７】
請求項４記載の発明によれば、請求項１、２又は３記載のスリッパ消毒供給装置において、本体ケースの前面に、透明な正面カバーが開閉自在に設けられているので、本体ケース内でスリッパの詰まりなどの異常が発生した場合、正面カバーを開ける前に異常原因を確認することができ、その異常に対して迅速に対応することができる。そして、この正面カバーを開くことにより、異常箇所の修理や本体ケース内の清掃を容易に行うことができる。
【００４８】
請求項５記載の発明によれば、請求項１、２、３又は４記載のスリッパ消毒供給装置において、紫外線ランプは長尺形状であり、スリッパの足入れ部の内側を照射する位置に上下方向に向けて配置されているので、特に消毒殺菌を必要とするスリッパの足入れ部の内側に紫外線を照射することができ、かつ、紫外線ランプの数を増やすことなくスリッパに対する紫外線の照射時間を長くして消毒殺菌効果を高めることができる。
【００４９】
請求項６記載の発明によれば、請求項１、２、３、４又は５記載のスリッパ消毒供給装置において、スリッパ取出口には、１組のスリッパを本体ケース外へ送り出す送り出し機構が設けられ、この送り出し機構を作動させる取出スイッチが本体ケースの外周部に設けられているので、取出スイッチを操作することにより送り出し機構を作動させて消毒殺菌済みの１組のスリッパを本体ケース外へ送り出すことができ、スリッパを使用する場合におけるスリッパの取出し操作性を向上させることができる。
【図面の簡単な説明】
【図１】本発明の第一の実施の形態のスリッパ消毒供給装置を示す斜視図である。
【図２】縦断正面図である。
【図３】縦断側面図である。
【図４】水平断面図である。
【図５】本発明の第二の実施の形態のスリッパ消毒供給装置を示す縦断側面図である。
【符号の説明】
１      本体ケース
２      スリッパ投入口
３      スリッパ取出口
４      スリッパ
４ａ    足入れ部
５      ガイド機構
６ａ，６ｂ  紫外線ランプ
７      スリッパ載置板
８      フード
１１      正面カバー
１２，２１  送り出し機構
１９      取出スイッチ
【図１】
0003715811.tif 000002
【図２】
0003715811.tif 000003
【図３】
0003715811.tif 000004
【図４】
0003715811.tif 000005
【図５】
0003715811.tif 000006